(57)【要約】      （修正有）【課題】テッシュ切れを防ぎ、しかも使い易い高さに自由に取付できる壁付連双テッシュ箱の提供。【解決手段】壁付連双テッシュ箱は、剛性素材等による箱体１において前板２、側板３．４、裏板５、底板６、仕切板７からなり、前板２は、テッシュ取出し９、底板６は、空市販テッシュ押出口１０、裏板５は壁付用ネジ穴８とマグネット１１よりなる直方体である。【選択図】図３
0003115211.tif 000002
【実用新案登録請求の範囲】
【請求項１】
市販テッシュを複数入れるスペースを備えたことで、テッシュ切れを防ぐ壁付け連双テッシュ箱
【請求項２】
前記  壁付連双テッシュ箱は、壁面取付用の穴が備えられている請求項１に記載の壁付連双テッシュ箱
【請求項３】
前記  壁付連双テッシュは、背面に鉄部等に取付できるマグネットを備え付けている請求項１に記載の壁付連双テッシュ箱
【請求項４】
前記  壁付連双テッシュ箱は、背面に取付部材を備えることで請求項１に記載の壁付連双テッシュ箱
【考案の詳細な説明】
【技術分野】
【０００１】  本考案は、壁付連双テッシュ箱に関し詳しくはテッシュ切れを防ぐ壁付連双テッシュ箱に関する
【技術背景】
【０００２】  壁付連双テッシュ箱は、適切な高さ、テッシュの取り易さの為にも用いられる
【考案の開示】
【考案が解決しようとする課題】
【０００３】  ところで従来の市販テッシュは、単体で使用するためテッシュ切れを起こした場合にテッシュ置場に取りに行かなければならず、急ぐ場合使えず不満が残る。
本出願人はテッシュ切れを防ぐテンシュ箱について鋭意研究した結果本願考案に至った。
尚、本考案に関連する先行技術文献情報については、本出願人の知り得る範囲において存在しない。【０００４】  そこで本考案はテッシュ切れを防ぎ、しかも使い易い高さに自由に取付できることを課題とし、この課題を解決する壁付連双テッシュ箱の提供を目的とする。
【課題を解決するための手段】
【０００５】  本考案は、前記目的を達成する為に下記の技術的手段を採用した。
その技術手段は、市販テッシュが複数入れれるスペースを備え（請求項１）裏板に取付穴（請求項２）マグネット（請求項３）取付部材（請求項４）を備えたことである。【０００６】  壁付連双テッシュ箱は、木材  プラスチック  厚紙  金属等の剛性素材よりなる直方体状の箱体において、自由に取付できることを備えたことである。
【考案の効果】
【０００７】  本考案によればテッシュを使い切った場合、隣のテッシュを使うことでテッシュ切れを防ぐことが出来る。
また  壁付連双テッシュ箱は固定されていることで  テッシュが少量になった場合も取り出す場合に市販テッシュが持ち上がらず、最後までスムーズにテッシュを取り出す事が出来る等の利点がある。
【考案を実施するための最良の形態】
【０００８】  以下  本考案の実施の形態を図１ないし図３に基づいて説明する。図１ないし図３に示す壁付連双テッシュ箱は  直方体のものであり市販テッシュを２個配置できるスペースを備えたものである。【０００９】  壁付連双テッシュ箱は  テッシュの取出口９、市販テッシュ押出し口１０  壁取付用穴８  鉄部取付用マグネット１１が設けられている【００１０】  本考案は  前記実施の形態で例示した構成に限定されるものではなく実用新案登録請求の範囲の各項に記載された内容から逸脱しない範囲での実施が可能である。
【実施例】  実施例について図面を参照して説明する。図１は請求項１の考案の一つである。
プラスチック素材等によりなる直方体の箱体１において前板２、側板３．４．裏板５  底板６  仕切板７  からなり、前板２はテッシュ取出口９、底板６は空市販テッシュ押出口１０、裏板５は壁付用ネジ穴とマグネットを備えた連双テッシュ箱Ａである。
【産業上の利用可能性】  本考案は、壁付連双テッシュ箱に関するものである。
【図面の簡単な説明】  壁付連双テッシュ箱の説明図【図１】  連双テッシュ箱  平面図
【図２】  図１の（２）−（２）の断面図
【図３】  使用状態を示す  斜視図
【符号の説明】
Ａ    壁付連双テッシュ箱
１    箱体
２    前板
３    側板
４    側板
５    裏板
６    底板
７    仕切板
８    取付用穴
９    取出し口
１０  市販テッシュ押出し口
１１  マグネット
２０  市販テッシュ
【図１】
0003115211.tif 000003
【図２】
0003115211.tif 000004
【図３】
0003115211.tif 000005
【手続補正書】
【提出日】平成17年6月27日(2005.6.27)
【手続補正１】
【補正対象書類名】実用新案登録請求の範囲
【補正対象項目名】全文
【補正方法】変更
【補正の内容】
【実用新案登録請求の範囲】
【請求項１】
テッシュを複数入れるスペースを備えたことで、テッシュ切れを防ぐ壁付け連双テッシュ箱
【請求項２】
前記  壁付連双テッシュ箱は、壁面取付用の穴が備えられている請求項１に記載の壁付連双テッシュ箱
【請求項３】
前記  壁付連双テッシュ箱は、背面に鉄部等に取付できるマグネットを備え付けている請求項１に記載の壁付連双テッシュ箱
【請求項４】
前記  壁付連双テッシュ箱は、背面に取付部材を備えることで請求項１に記載の壁付連双テッシュ箱
【手続補正２】
【補正対象書類名】明細書
【補正対象項目名】全文
【補正方法】変更
【補正の内容】
【考案の詳細な説明】
【技術分野】
【０００１】  本考案は、壁付連双テッシュ箱に関し詳しくはテッシュ切れを防ぐ壁付連双テッシュ箱に関する
【技術背景】
【０００２】  壁付連双テッシュ箱は、適切な高さ、テッシュの取り易さの為にも用いられる
【考案の開示】
【考案が解決しようとする課題】
【０００３】  ところで従来のテッシュは、単体で使用するためテッシュ切れを起こした場合にテッシュ置場に取りに行かなければならず、急ぐ場合使えず不満が残る。
本出願人はテッシュ切れを防ぐテッシュ箱について鋭意研究した結果本願考案に至った。
尚、本考案に関連する先行技術文献情報については、本出願人の知り得る範囲において存在しない。【０００４】  そこで本考案はテッシュ切れを防ぎ、しかも使い易い高さに自由に取付できることを課題とし、この課題を解決する壁付連双テッシュ箱の提供を目的とする。
【課題を解決するための手段】
【０００５】  本考案は、前記目的を達成する為に下記の技術的手段を採用した。
その技術手段は、テッシュが複数入れれるスペースを備え（請求項１）裏板に取付穴（請求項２）マグネット（請求項３）取付部材（請求項４）を備えたことである。【０００６】  壁付連双テッシュ箱は、木材  プラスチック  厚紙  金属等の剛性素材よりなる直方体状の箱体において、自由に取付できることを備えたことである。
【考案の効果】
【０００７】  本考案によればテッシュを使い切った場合、隣のテッシュを使うことでテッシュ切れを防ぐことが出来る。
また  壁付連双テッシュ箱は固定されていることで  テッシュが少量になった場合も取り出す場合にテッシュが持ち上がらず、最後までスムーズにテッシュを取り出す事が出来る等の利点がある。
【考案を実施するための最良の形態】
【０００８】  以下  本考案の実施の形態を図１ないし図３に基づいて説明する。
図１ないし図３に示す壁付連双テッシュ箱は  直方体のものでありテッシュを２個配置できるスペースを備えたものである。【０００９】  壁付連双テッシュ箱は  テッシュの取出口９、テッシュ押出し口１０壁取付用穴８  鉄部取付用マグネット１１が設けられている【００１０】  本考案は  前記実施の形態で例示した構成に限定されるものではなく実用新案登録請求の範囲の各項に記載された内容から逸脱しない範囲での実施が可能である。
【実施例】  実施例について図面を参照して説明する。図１は請求項１の考案の一つである。
プラスチック素材等によりなる直方体の箱体１において前板２、側板３．４．裏板５  底板６  仕切板７  からなり、前板２はテッシュ取出口９、底板６は空テッシュ押出口１０、裏板５は壁付用ネジ穴とマグネットを備えた連双テッシュ箱Ａである。
【産業上の利用可能性】  本考案は、壁付連双テッシュ箱に関するものである。
【図面の簡単な説明】  壁付連双テッシュ箱の説明図【図１】  連双テッシュ箱  平面図
【図２】  図１の（２）−（２）の断面図
【図３】  使用状態を示す  斜視図
【符号の説明】
Ａ  壁付連双テッシュ箱
１  箱体
２  前板
３  側板
４  側板
５  裏板
６  底板
７  仕切板
８  取付用穴
９  取出し口
１０  テッシュ押出し口
１１  マグネット
２０  テッシュ
【手続補正３】
【補正対象書類名】図面
【補正対象項目名】全図
【補正方法】変更
【補正の内容】
【図１】
0003115211.tif 000006
【図２】
0003115211.tif 000007
【図３】
0003115211.tif 000008